(57)【要約】【課題】  循環水系全体として、適正にスライム障害の発生を防止できる循環水系管理方法を提供する。【解決手段】  本発明は、紙・パルプ工場の抄紙工程循環白水系１のなかから、殺微生物剤α，β，γを添加する殺微生物剤添加位置Ｘ，Ｙ，Ｚを特定し、各殺微生物剤添加位置Ｘ，Ｙ，Ｚに、スライムの付着量を測定できるスライム付着量測定装置４ｘ，４ｙ，４ｚを設けた。かかる構成にあって、いずれかのスライム付着量測定装置４ｘ，４ｙ，４ｚが、殺微生物剤α，β，γを添加すべき規定のスライム付着量を検出した場合に、当該スライム付着量測定装置４ｘ，４ｙ，４ｚに対応する殺微生物剤添加位置Ｘ，Ｙ，Ｚ以外の殺微生物剤添加位置Ｘ，Ｙ，Ｚから、単数又は複数の殺微生物剤添加位置Ｘ，Ｙ，Ｚを選定し、選定した殺微生物剤添加位置Ｘ，Ｙ，Ｚに殺微生物剤α，β，γを添加することとした。【選択図】図１
2005205354.tif 000002
【特許請求の範囲】
【請求項１】
循環水系に、殺微生物剤添加位置を複数特定し、各殺微生物剤添加位置に、当該殺微生物剤添加位置のスライム付着量を測定するスライム付着量測定装置を設け、いずれかのスライム付着量測定装置が規定のスライム付着量を検出した場合に、循環水系に所定量の殺微生物剤を添加して、当該循環水系におけるスライム障害の発生を防止する循環水系管理方法であって、
いずれかのスライム付着量測定装置が、規定のスライム付着量を検出した場合に、予め特定された複数の殺微生物剤添加位置から、単数又は複数の殺微生物剤添加位置を選定し、選定した殺微生物剤添加位置に所定量の殺微生物剤を添加することを特徴とする循環水系管理方法。
【請求項２】
いずれかのスライム付着量測定装置が、規定のスライム付着量を検出した場合に、当該スライム付着量測定装置に対応する殺微生物剤添加位置以外の殺微生物剤添加位置から、単数又は複数の殺微生物剤添加位置を選定することを特徴とする請求項１記載の循環水系管理方法。
【請求項３】
添加する殺微生物剤が、循環水中で次亜塩素酸及び／又は次亜臭素酸を発生する化合物を有効成分として含有する殺微生物剤であることを特徴とする請求項１又は請求項２記載の循環水系管理方法。
【請求項４】
添加する殺微生物剤が、循環水中で次亜塩素酸及び／又は次亜臭素酸を発生する化合物を有効成分として含有する殺微生物剤と、有機ハロゲン系殺微生物剤とを組み合わせたものであることを特徴とする請求項１又は請求項２記載の循環水系管理方法。
【請求項５】
循環水中で次亜塩素酸及び／又は次亜臭素酸を発生する化合物が、塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩のいずれかを少なくとも含むことを特徴とする請求項３又は請求項４記載の循環水系管理方法。
【請求項６】
殺微生物剤添加位置が複数特定された循環水系と、
殺微生物剤を前記殺微生物剤添加位置に添加する添加装置と、
各殺微生物剤添加位置に配設された、当該殺微生物剤添加位置のスライム付着量を検出し、その検出データを出力するスライム付着量測定装置とを備えた、当該循環水系におけるスライム障害の発生を防止する循環水系管理システムであって、
添加装置、及びスライム付着量測定装置とにそれぞれ電気的に接続され、いずれかのスライム付着量測定装置が規定のスライム付着量を検出した場合に、当該検出データが入力されると、該検出データに基づいて、前記殺微生物剤添加位置から、単数又は複数の殺微生物剤添加位置を選定し、かつ該殺微生物剤添加位置に所定量の殺微生物剤を添加するように、添加装置を駆動制御する制御装置を備えたことを特徴とする循環水系管理システム。
【請求項７】
制御装置が、
いずれかのスライム付着量測定装置が、規定のスライム付着量を検出した場合に、当該スライム付着量測定装置に対応する殺微生物剤添加位置以外の殺微生物剤添加位置から、単数又は複数の殺微生物剤添加位置を選定する制御内容を具備することを特徴とする請求項６記載の循環水系管理システム。
【請求項８】
インターネット上に設けられた管理サーバと、
インターネットに接続された端末パソコンとを備え、
制御装置が、
インターネットに接続されると共に、スライム付着量測定装置から入力された検出データをインターネットを介して管理サーバに送信し、かつ端末パソコンからインターネットを介して送信された、添加装置を所定態様で駆動するための操作データに基づき、添加装置に所定量の殺微生物剤を添加させる制御内容を具備することを特徴とする請求項６又は請求項７記載の循環水系管理システム。
【請求項９】
添加装置が添加する殺微生物剤が、循環水中で次亜塩素酸及び／又は次亜臭素酸を発生する化合物を有効成分として含有する殺微生物剤であることを特徴とする請求項６乃至請求項８のいずれかに記載の循環水系管理システム。
【請求項１０】
添加装置が添加する殺微生物剤が、循環水中で次亜塩素酸及び／又は次亜臭素酸を発生する化合物を有効成分として含有する殺微生物剤と、有機ハロゲン系殺微生物剤とを組み合わせたものであることを特徴とする請求項６乃至請求項８のいずれかに記載の循環水系管理システム。
【請求項１１】
循環水中で次亜塩素酸及び／又は次亜臭素酸を発生する化合物が、塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩のいずれかを少なくとも含むことを特徴とする請求項９又は請求項１０記載の循環水系管理システム。
【発明の詳細な説明】
【技術分野】
【０００１】
本発明は、各種工場の冷却用循環水系、又は紙・パルプ工場の抄紙工程循環白水系で問題となるスライム障害を防止する循環水系管理方法、及び循環水系管理システムに関するものである。
【背景技術】
【０００２】
各種工場の冷却用循環水系、又は紙・パルプ工場の抄紙工程循環白水系を流れる循環水には、泥状のスライムが発生することは従来から良く知られている。このスライムは、循環水に含まれる細菌、糸状菌、又は藻類などの微生物が分泌した粘質物質に、水中の土砂、鉄錆、その他の有機物が付着することにより発生する。そして、このスライムが、循環水系の熱交換器や冷却塔などに付着し、その後増大すると、熱効率の低下、配管の閉塞、又は腐食等の問題を引き起こす。また、紙・パルプ工場の抄紙工程循環白水系にあっては、配管や壁面に付着したスライムが増大し、その後壁面から剥離すると、製品である紙に混入して紙の品質低下や紙切れを引き起こし、生産効率を著しく低下させる。このように、スライムが発生した後で具体的に問題が生ずることを、一般的にスライム障害と称している。
【０００３】
一方、このようなスライム障害に対しては、循環水系のなかでスライム障害を引き起こしやすい位置（例えば、スライムが特に増大又は剥離しやすい位置等）をいくつか特定し、この位置（以下、殺微生物剤添加位置という）に殺微生物剤を添加することにより問題解決している。この殺微生物剤は、スライムの発生源となる微生物の発生を減ずるものであって、いくつかの種類が既に知られている（例えば、特許文献１、特許文献２参照。）。
【０００４】
また、従来、循環水系におけるスライムの付着状況を知ることができるスライム付着量測定装置（例えば、特許文献３参照。）が提案されている。このスライム付着量測定装置は、前記殺微生物剤添加位置近傍に配設される。そして、このスライム付着量測定装置が測定したスライム付着量が予め定められた規定量に達すると、その近傍にある殺微生物添加位置に殺微生物剤を添加し、スライム障害が生ずることを事前に防止していた（例えば、特許文献４参照。）。
【０００５】
【特許文献１】特開昭５９−１２２４０１号公報
【特許文献２】特開昭５２−１４２９４号公報
【特許文献３】特開平９−２３６５４６号公報
【特許文献４】特開２００３−３１１２７８号公報
【発明の開示】
【発明が解決しようとする課題】
【０００６】
しかしながら、上述の従来構成にあっては、規定量のスライム付着量が検出され、これに従ってその殺微生物剤添加位置に殺微生物剤を添加したとしても、それだけでは適切に循環水系のスライムを制御できず、スライム付着量を適正に減ずることができない場合があるという問題があった。
【０００７】
そこで、本発明は、確実にスライム障害を防止できる循環水系管理方法、及び循環水系管理システムを提供することを目的とする。
【課題を解決するための手段】
【０００８】
本発明は、循環水系に、殺微生物剤添加位置を複数特定し、各殺微生物剤添加位置に、当該殺微生物剤添加位置のスライム付着量を測定するスライム付着量測定装置を設け、いずれかのスライム付着量測定装置が規定のスライム付着量を検出した場合に、循環水系に所定量の殺微生物剤を添加して、当該循環水系におけるスライム障害の発生を防止する循環水系管理方法であって、いずれかのスライム付着量測定装置が、規定のスライム付着量を検出した場合に、予め特定された複数の殺微生物剤添加位置から、単数又は複数の殺微生物剤添加位置を選定し、選定した殺微生物剤添加位置に所定量の殺微生物剤を添加することを特徴とする循環水系管理方法である。
【０００９】
上記循環水系は水が系内を循環している構成であるから、操業の変化、又は殺微生物剤の新たな添加等によりスライム付着状況が刻々と変化し、スライム障害の要因となる位置の特定が極めて難しいという特質がある。そこで本発明のように、循環水系の全体状況を把握し、全ての殺微生物剤添加位置を考慮した上で、適宜添加位置を選定し、当該位置に殺微生物剤を所定量添加する構成とすることにより、循環水系の全体のスライムをコントロールすることができることとなり、適切にスライム付着量を減ずることが可能となる。なお、一般的に、前記のような規定のスライム付着量が検出される以前にも、循環水系への殺微生物剤の添加は定期的に行われているため、実際に規定のスライム付着量が検出された場合は、殺微生物剤の添加量を所定量だけ増量することとなる。
【００１０】
また、特に、いずれかのスライム付着量測定装置が、規定のスライム付着量を検出した場合に、当該スライム付着量測定装置に対応する殺微生物剤添加位置以外の殺微生物剤添加位置から、単数又は複数の殺微生物剤添加位置を選定する構成が提案される。
【００１１】
かかる構成とすることにより、規定のスライム付着量が検出された位置のみに殺微生物剤を添加する従来構成とは異なり、他の殺微生物剤添加位置を考慮した上で、スライム付着状況の変化に応じて、適切に循環水系全体のスライム付着量を減ずることが可能となる。
【００１２】
また、添加する殺微生物剤が、循環水中で次亜塩素酸及び／又は次亜臭素酸を発生する化合物を有効成分として含有する殺微生物剤である構成が提案される。
【００１３】
かかる構成にあっては、前記内容の殺微生物剤のみを全ての殺微生物剤添加位置に添加することとなる。したがって、循環水系全体で一種類の殺微生物剤を添加することとなり、殺微生物剤の管理コストを抑えることが可能となる。
【００１４】
一方、添加する殺微生物剤が、循環水中で次亜塩素酸及び／又は次亜臭素酸を発生する化合物を有効成分として含有する殺微生物剤と、有機ハロゲン系殺微生物剤とを組み合わせたものである構成でも良い。
【００１５】
かかる構成にあって、循環水中で次亜塩素酸及び／又は次亜臭素酸を発生する化合物を有効成分として含有する殺微生物剤は、即効性があり、添加と同時に微生物を減少させることができるものである。これに対し、有機ハロゲン系殺微生物剤は、持続効果・抑制効果があり、微生物の生長・増殖を停止・抑止させ、微生物を衰退させることができるものである。したがって、両殺微生物剤を組み合わせることにより、両効果を兼ね備えた殺微生物剤とすることができる。例えば、規定のスライム付着量を検出した場合に、循環水中で次亜塩素酸等を発生する化合物を含有する殺微生物剤により素早い対応を取り、有機ハロゲン系殺微生物剤により殺微生物効果の持続を図る処方ができる。
【００１６】
なお、循環水中で次亜塩素酸及び／又は次亜臭素酸を発生する化合物を有効成分として含有する殺微生物剤としては、塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩のいずれかを少なくとも含むものが好適である。
【００１７】
また本発明は、殺微生物剤添加位置が複数特定された循環水系と、殺微生物剤を前記殺微生物剤添加位置に添加する添加装置と、各殺微生物剤添加位置に配設された、当該殺微生物剤添加位置のスライム付着量を検出し、その検出データを出力するスライム付着量測定装置とを備えた、当該循環水系におけるスライム障害の発生を防止する循環水系管理システムであって、添加装置、及びスライム付着量測定装置とにそれぞれ電気的に接続され、いずれかのスライム付着量測定装置が規定のスライム付着量を検出した場合に、当該検出データが入力されると、該検出データに基づいて、前記殺微生物剤添加位置から、単数又は複数の殺微生物剤添加位置を選定し、かつ該殺微生物剤添加位置に所定量の殺微生物剤を添加するように、添加装置を駆動制御する制御装置を備えたことを特徴とする循環水系管理システムである。
【００１８】
このように、制御装置が、全ての殺微生物剤添加位置から適宜添加位置を選定し、選定した位置に殺微生物剤を添加する構成とすることにより、循環水系の全体のスライムをコントロールすることができることとなり、適切にスライム付着量を減ずることが可能となる。
【００１９】
また、特に、制御装置が、いずれかのスライム付着量測定装置が、規定のスライム付着量を検出した場合に、当該スライム付着量測定装置に対応する殺微生物剤添加位置以外の殺微生物剤添加位置から、単数又は複数の殺微生物剤添加位置を選定する制御内容を具備する構成が提案される。
【００２０】
かかる構成とすることにより、規定のスライム付着量が検出された位置のみに殺微生物剤を添加する従来構成とは異なり、他の殺微生物剤添加位置を考慮した上で、スライム付着状況の変化に応じて、適切に循環水系全体のスライム付着量を減ずることが可能となる。
【００２１】
また、インターネット上に設けられた管理サーバと、インターネットに接続された端末パソコンとを備え、制御装置が、インターネットに接続されると共に、スライム付着量測定装置から入力された検出データをインターネットを介して管理サーバに送信し、かつ端末パソコンからインターネットを介して送信された、添加装置を所定態様で駆動するための操作データに基づき、添加装置に所定量の殺微生物剤を添加させる制御内容を具備する構成が提案される。
【００２２】
かかる構成とすると、端末パソコンからインターネットを介して管理サーバにアクセスすることにより、殺微生物剤添加位置でのスライム付着量を知ることが可能となる。そして、この知得したスライム付着量に基づいて、適性かつ適量の殺微生物剤を、循環水系のある現場に出向くことなく、インターネットを利用して遠隔地から当該殺微生物剤添加位置に添加させることが可能となる。
【００２３】
さらに、添加装置が添加する殺微生物剤が、循環水中で次亜塩素酸及び／又は次亜臭素酸を発生する化合物を有効成分として含有する殺微生物剤である構成が提案される。
【００２４】
かかる構成とすることにより、全ての殺微生物剤添加位置に前記内容の殺微生物剤のみが添加されることとなる。したがって、循環水系全体で一種類の殺微生物剤が添加されることとなり、殺微生物剤の管理コストが抑えられる。
【００２５】
一方、添加装置が添加する殺微生物剤が、循環水中で次亜塩素酸及び／又は次亜臭素酸を発生する化合物を有効成分として含有する殺微生物剤と、有機ハロゲン系殺微生物剤とを組み合わせたものである構成としても良い。
【００２６】
かかる構成とすることにより、各殺微生物剤が有する効果を共に兼ね備えた殺微生物剤とすることができる。
【００２７】
なお、本発明にかかる循環水系管理システムにあっても、上述のように、循環水中で次亜塩素酸及び／又は次亜臭素酸を発生する化合物は、塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩のいずれかを少なくとも含む構成が好適である。
【発明の効果】
【００２８】
本発明は、いずれかのスライム付着量測定装置が、規定のスライム付着量を検出した場合に、予め特定された複数の殺微生物剤添加位置から、単数又は複数の殺微生物剤添加位置を選定し、選定した殺微生物剤添加位置に殺微生物剤を所定量添加する構成としたため、循環水系の全体状況を把握し、全ての殺微生物剤添加位置を考慮した上で殺微生物剤を添加することとなるため、循環水系の全体のスライムをコントロールすることができることとなり、適切にスライム付着量を減ずることができる効果を奏する。
【００２９】
また、規定のスライム付着量が検出された殺微生物剤添加位置以外の殺微生物剤添加位置から、単数又は複数の殺微生物剤添加位置を選定し、殺微生物剤を添加する構成とした場合は、他の殺微生物剤添加位置を考慮した上で、スライム付着状況の変化に応じて、適切に循環水系全体のスライム付着量を減ずることが可能となる。
【００３０】
また、添加する殺微生物剤が、循環水中で次亜塩素酸及び／又は次亜臭素酸を発生する化合物を有効成分として含有する殺微生物剤のみである構成とした場合は、循環水系全体で一種類の殺微生物剤を添加することとなり、殺微生物剤の管理コストを抑える効果がある。
【００３１】
一方、添加する殺微生物剤を、循環水中で次亜塩素酸及び／又は次亜臭素酸を発生する化合物を有効成分として含有する殺微生物剤と、有機ハロゲン系殺微生物剤とを組み合わせたものとした場合は、各殺微生物剤が有する効果を共に兼ね備えた殺微生物剤とすることができ、素早い対応かつ効果の持続を実現することができる。
【００３２】
ここで、殺微生物剤を、塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩のいずれかを少なくとも含むものとした場合は、好適に、循環水中で次亜塩素酸及び／又は次亜臭素酸を発生する化合物を有効成分として含有する殺微生物剤とすることができる。
【００３３】
また本発明は、制御装置が、複数の殺微生物剤添加位置から、単数又は複数の殺微生物剤添加位置を選定し、選定した殺微生物剤添加位置に殺微生物剤を所定量添加する構成としたため、循環水系の全体のスライムをコントロールすることとができることとなり、適切にスライム付着量を減ずることが可能となる。
【００３４】
また、規定のスライム付着量を検出したスライム付着量測定装置に対応する殺微生物剤添加位置以外の殺微生物剤添加位置から、単数又は複数の殺微生物剤添加位置を選定し、選定した位置に殺微生物剤を添加する構成とした場合は、他の殺微生物剤添加位置を考慮した上で、スライム付着状況の変化に応じて、適切に循環水系全体のスライム付着量を減ずることが可能となる。
【００３５】
また、制御装置が、スライム付着量測定装置から入力された検出データを、インターネットを介して管理サーバに送信し、かつ端末パソコンからインターネットを介して送信された、添加装置を所定態様で駆動するための操作データに基づき、添加装置に殺微生物剤を添加させる構成とした場合は、端末パソコンからインターネットを介して管理サーバにアクセスし、殺微生物剤添加位置でのスライム付着量を知ることが可能となると共に、その情報に基づいて、適性かつ適量の殺微生物剤を、循環水系のある現場に出向くことなくインターネットを利用して遠隔地から当該殺微生物剤添加位置に添加させることが可能となる。これにより、無駄な殺微生物の添加を防止できると共に、スライム障害を確実に防止できる。
【００３６】
また、添加装置により添加される殺微生物剤が、循環水中で次亜塩素酸及び／又は次亜臭素酸を発生する化合物を有効成分として含有する殺微生物剤のみである構成とした場合は、循環水系全体で一種類の殺微生物剤が添加されることとなり、殺微生物剤の管理コストを抑える効果がある。
【００３７】
さらに、添加される殺微生物剤が、循環水中で次亜塩素酸及び／又は次亜臭素酸を発生する化合物を有効成分として含有する殺微生物剤と、有機ハロゲン系殺微生物剤とを組み合わせたものとした場合は、各殺微生物剤が有する効果を共に兼ね備えた殺微生物剤とすることができる。
【００３８】
ここで、殺微生物剤を、塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩のいずれかを少なくとも含むものとした場合は、好適に、循環水中で次亜塩素酸及び／又は次亜臭素酸を発生する化合物を有効成分として含有する殺微生物剤とすることができる。
【発明を実施するための最良の形態】
【００３９】
<第一実施形態例>
本発明にかかる循環水系管理システムを、紙・パルプ工場の抄紙工程循環白水系１に係る循環白水系管理システムＡを例にして説明する。
【００４０】
図１に示されるように、循環白水系管理システムＡは、抄紙工程循環白水系１、薬剤タンク２（２ｘ，２ｙ，２ｚ）、残量測定装置８（８ｘ，８ｙ，８ｚ）、添加装置３（３ｘ，３ｙ，３ｚ）、スライム付着量測定装置４（４ｘ，４ｙ，４ｚ）、制御装置５、インターネット１０上に設けられた管理サーバ６、及びインターネット１０に接続可能な端末パソコン（パーソナルコンピュータ）７とで構成されている。
【００４１】
抄紙工程循環白水系１は、図１中にあって、時計回りに循環白水が流れており、図２に示されるように、ミキシングチェスト、マシンチェスト、種箱、ディキュレーター、ストックインレット、白水サイロ、ポリディスクフィルター、貯留タンク、及び複数のポンプ等を備えている。そして、かかる抄紙工程で、紙料（パルプ繊維と各種添加薬品）をシート形状とする。なお、抄紙工程循環白水系１の構成は、公知であるため詳細な説明は省略する。
【００４２】
また、上記抄紙工程循環白水系１には、殺微生物剤を添加する殺微生物剤添加位置Ｘ，Ｙ，Ｚが予め複数特定されている。この殺微生物剤添加位置Ｘ，Ｙ，Ｚは、以下の箇所に特定される。すなわち、スライム障害が発生する箇所の直近近傍の上流箇所、又はスライム付着量が多く、特にスライム障害の要因と推定される箇所等である。なお、殺微生物添加位置Ｘ，Ｙ，Ｚを特定する際に、スライム付着量測定装置を用いてスライム付着量が多い箇所を選択して特定しても良い。殺微生物剤添加位置の数は、特に制限されるものではない。
【００４３】
本実施形態例にあっては、図２に示されるように、マシンチェスト位置（殺微生物剤添加位置Ｘ）、白水サイロ位置（殺微生物剤添加位置Ｙ）、及びポリディスクフィルター位置（殺微生物剤添加位置Ｚ）に特定されている。
【００４４】
殺微生物剤添加位置Ｘには、図１に示されるように、添加装置３ｘが配設されている。さらに、この添加装置３ｘには、薬剤タンク２ｘが接続されており、添加装置３ｘが駆動することにより、薬剤タンク２ｘに貯蔵される殺微生物剤が殺微生物剤添加位置Ｘに添加されることとなる。
【００４５】
また、前記薬剤タンク２ｘには、薬剤タンク２ｘ中の殺微生物剤の残量を検出する残量測定装置８ｘが備えられている。この残量測定装置８ｘは、公知品が好適に用いられる。
【００４６】
さらに、同様な構成で、殺微生物剤添加位置Ｙ，Ｚにも、薬剤タンク２ｙ，２ｚを備えた添加装置３ｙ，３ｚがそれぞれ配設され、薬剤タンク２ｙ，２ｚには、残量測定装置８ｙ，８ｚがそれぞれ接続されている。なお、薬剤タンク２ｘ，２ｙ，２ｚは、殺微生物剤が入ったドラム缶をそのまま使用する等、様々な構成が考えられ得る。
【００４７】
ここで、各殺微生物剤添加位置Ｘ，Ｙ，Ｚにそれぞれ添加する殺微生物剤は、通常の方法により決定される。例えば、以下のような方法が採用され得る。
【００４８】
まず、スライム付着量が多い箇所からスライム、或いはその近傍の循環白水をサンプリングして試料とし、これを適切な培地（例えば、ＴＧＹ液体培地）を用いて２４時間、３２度で振とう培養を行い、試験用試料液とする。この試験用試料液を滅菌水で１０００倍（重量）に希釈し、希塩酸液または希水酸化ナトリウム液にて、循環白水系のｐＨに調整し、試験液とする。この試験液を３００ｍｌ三角フラスコに１００ｍｌづつ採取し、これに評価に用いる殺微生物剤１０ｍｇ／Ｌを加え、振とう器にて振とうし、試験液と殺微生物剤を接触させて１時間後及び１日後にＴＧＹ平板培地に接種し、３２℃で３日間培養し、試験液１ｍｌ当たりの生存微生物数を測定する。そして、「接触時間１時間の微生物数」と無添加の場合の微生物数とを比べて「短時間接触による殺微生物効果」を把握し、これを基準として、即効的な殺微生物効果を期待する殺微生物剤を選択する。また、「接触時間１日の微生物数」と無添加の場合の微生物数とを比べて「長期にわたる微生物の増殖の抑制効果」を把握し、これを基準として、持続・抑制効果を期待する殺微生物剤を選択し、対象とする循環水系の最適殺微生物剤を選択する。
【００４９】
なお、最適な殺微生物剤は、試料をサンプリングする際に特定した循環白水系における位置に依存し、特定した循環白水系の位置数に等しい種類の殺微生物剤が選択される場合、特定した循環白水系の位置数よりも少なく、同じ種類の殺微生物剤が幾つか重複して選択される場合、又は一種類の殺微生物剤が選択される場合が有る。ここで、選択される最適殺微生物剤の種類・数は、何ら制限されるものではない。本実施形態例にあっては、殺微生物剤添加位置Ｘに殺微生物剤αを、殺微生物剤添加位置Ｙに殺微生物剤βを、殺微生物剤添加位置Ｚに殺微生物剤γを添加するようにしている。
【００５０】
さらに、各殺微生物剤添加位置Ｘ，Ｙ，Ｚには、水系内壁に付着したスライムの付着量を測定するスライム付着量測定装置４ｘ，４ｙ，４ｚがそれぞれ配設されている。スライム付着量測定装置４ｘ，４ｙ，４ｚは、透明部のあるパイプ状通水管を備え、パイプ状通水管に循環水を通水すると共に、この透明部に光を照射してその透過度を測定し、スライムの付着量を検出するものである。なお、このスライム付着量測定装置４ｘ，４ｙ，４ｚには、公知技術が好適に用いられる。例えば、特開平１０−２６７８４３号公報に開示される装置が提案される。
【００５１】
そして、残量測定装置８ｘ，８ｙ，８ｚ、添加装置３ｘ，３ｙ，３ｚ、及びスライム付着量測定装置４ｘ，４ｙ，４ｚは、それぞれ制御装置５と電気的に接続されている。この制御装置５は、添加装置３ｘ，３ｙ，３ｚを駆動制御等するための基板回路（図示省略）を備えており、この基板回路上には中央制御装置ＣＰＵが配設されている。さらに、この中央制御装置ＣＰＵには、演算処理に用いる制御プログラムを格納する記憶装置ＲＯＭと、各装置３，４，８から入力されるデータを随時読み書きできる記憶装置ＲＡＭとが、データを読み書きするアドレスを指定する情報を一方的に伝えるアドレスバス（図示省略）と、データのやり取りを行うデータバス（図示省略）を介して接続され、制御装置５の基板回路を構成している。また、この制御装置５は、インターネット１０に接続されている。
【００５２】
ここで、残量測定装置８ｘ，８ｙ，８ｚ、添加装置３ｘ，３ｙ，３ｚ、及びスライム付着量測定装置４ｘ，４ｙ，４ｚが出力するデータについて、詳しく説明する。
残量測定装置８ｘ，８ｙ，８ｚは、残量測定データを出力する。この残量測定データは、薬剤タンク２ｘ，２ｙ，２ｚに貯蔵されている殺微生物剤α，β，γの残量に関するデータである。
【００５３】
添加装置３ｘ，３ｙ，３ｚは、添加装置３ｘ，３ｙ，３ｚの駆動の有無に関する添加装置オン・オフデータ、単位時間当りの添加量に関する添加量データ、及び添加している殺微生物剤添加位置Ｘ，Ｙ，Ｚを特定する添加位置特定データを出力する。
【００５４】
また、スライム付着量測定装置４ｘ，４ｙ，４ｚは、スライムの付着量に関するデータである付着量データ、測定位置を特定する測定位置特定データを生成する。なお、付着量データにより、本発明にかかる検出データが構成される。
【００５５】
一方、インターネットに接続された端末パソコン７は、添加装置３ｘ，３ｙ，３ｚを駆動または停止する駆動操作データ、所要の添加量を添加させる添加量操作データ、及び添加すべき殺微生物剤添加位置Ｘ，Ｙ，Ｚを特定する添加位置操作データを出力する。なお、駆動操作データ、添加量操作データ、及び添加位置操作データにより、本発明にかかる操作データが構成される。
【００５６】
次に、上記抄紙工程循環白水系１に係る循環白水系管理方法について説明する。
上記循環白水系管理システムＡにあって、残量測定装置８ｘ，８ｙ，８ｚ、添加装置３ｘ，３ｙ，３ｚ、及びスライム付着量測定装置４ｘ，４ｙ，４ｚは、所定のデータを所定間隔でそれぞれ出力し、かかるデータが、制御装置５に入力され、記憶装置ＲＡＭに一旦記憶保持される。そして、制御装置５は、この記憶保持したデータをインターネット１０上に設けられた管理サーバ６に送信する。そして、管理サーバ６は、送信されたデータを記憶保持する。
【００５７】
例えば、各スライム付着量測定装置４ｘ，４ｙ，４ｚは、殺微生物剤添加位置Ｘ，Ｙ，Ｚ周辺に発生するスライムの付着量を、常時測定している。そして、定期的に、付着量データ、及び測定位置特定データを制御装置５に出力している。かかるデータは出力されるたびに毎回更新される。
【００５８】
かかるデータを記憶保持した制御装置５は、インターネット１０を介して管理サーバ６に送信する。なお、かかるデータは、管理サーバ６においても毎回更新される。
【００５９】
そして、作業者は、端末パソコン７からインターネット１０を介して管理サーバ６にアクセスし、各殺微生物剤添加位置Ｘ，Ｙ，Ｚにおけるスライムの付着量等の情報を知得することができる。
【００６０】
ここで、例えば、殺微生物剤添加位置Ｘ，Ｙ，Ｚにかかるスライム付着量が、殺微生物剤α，β，γを添加すべき規定のスライム付着量に達していないと判断した場合は、たとえスライムが発生していてもスライム障害には発展しないため、静観することとなる。
【００６１】
しかし、例えば、殺微生物剤α，β，γを添加すべき規定のスライム付着量に達していることをスライム付着量測定装置４ｘが検出した場合は、水系１全体の殺微生物剤添加位置Ｘ，Ｙ，Ｚにおけるスライム発生状況を把握した上で、知得した情報に基づいて殺微生物剤添加位置Ｘ，Ｙ，Ｚから、単数又は複数の殺微生物剤添加位置Ｘ，Ｙ，Ｚを選定し、選定した殺微生物剤添加位置Ｘ，Ｙ，Ｚに所定量の殺微生物剤α，β，γを添加するための操作データを当該端末パソコン７を操作して制御装置５に送信する。
【００６２】
本実施形態例にあっては、殺微生物剤添加位置Ｙを選定し、この殺微生物剤添加位置Ｙに殺微生物剤βを添加するため、添加装置３ｙを駆動制御するための駆動操作データ、添加量操作データ、及び添加位置操作データをインターネットを介して制御装置５に送信する。
【００６３】
そして、制御装置５の記憶装置ＲＡＭに、一旦記憶保持される。そしてさらに、制御装置５は、添加装置３ｙにデータを送信する。
【００６４】
このように本発明は、予め特定された複数の殺微生物剤添加位置Ｘ，Ｙ，Ｚから、単数又は複数の殺微生物剤添加位置Ｘ，Ｙ，Ｚを選定し、選定した殺微生物剤添加位置Ｘ，Ｙ，Ｚに殺微生物剤α，β，γを所定量添加することを特徴としており、特に規定のスライム付着量が検出された殺微生物剤添加位置Ｘ，Ｙ，Ｚ以外の殺微生物剤添加位置Ｘ，Ｙ，Ｚに殺微生物剤α，β，γを添加するものである。これにより、スライム付着状況の変化に応じて、適切に循環白水系１全体のスライム付着量を減ずることが可能となる。なお、実施態様としては、規定のスライム付着量が検出された殺微生物剤添加位置Ｘ，Ｙ，Ｚ以外の殺微生物剤添加位置Ｘ，Ｙ，Ｚにのみ殺微生物剤α，β，γを添加する場合もあるし、規定のスライム付着量が検出された殺微生物剤添加位置Ｘ，Ｙ，Ｚにも添加する場合もある。
【００６５】
そして、制御装置５を介して、データを受信した添加装置３ｙは、かかるデータに従って、殺微生物剤βを所定量だけ添加することとなる。
【００６６】
ここで、殺微生物剤α，β，γの添加量は、循環水系の水質、ｐＨ、又は温度等の工程条件、生存微生物の種類、微生物数、スライムの発生頻度、添加頻度等を考慮して定められる。通常は、水系１の水に対して殺微生物剤の有効成分が、０．１〜１００ｍｇ／Ｌの範囲で定められ、好ましくは０．５〜５０ｍｇ／Ｌ、さらに好ましくは１〜２０ｍｇ／Ｌである。これは、０．１ｍｇ／Ｌより少ないと殺微生物効果が小さく、また１００ｍｇ／Ｌより多いとその殺微生物効果は充分にあるが、添加量の割にはその殺微生物作用が向上せず、経済的に不利になるためである。
【００６７】
また、殺微生物剤α，β，γの循環白水系１への添加頻度は、殺微生物剤α，β，γの循環白水系１での濃度を一定期間、高い状態で維持する衝撃添加方法あるいは間欠的添加方法、または殺微生物効果が発揮される必要な添加量を連続的に維持する連続添加方法等があり、いずれを用いても良い。例えば、白水ピットやマシンチェストに１０〜３０分／１回で１日に３回添加するような衝撃添加あるいは間欠添加方法が行なわれ得る。通常、微生物生存数を適宜測定し、スライム障害が起きないように微生物数を設定された基準数以下に保つように添加する。
【００６８】
また、例えば、殺微生物剤βを添加している際に、逐次更新されるスライムの付着量から、殺微生物剤βの添加が不要と判断した場合は、添加装置３ｙを停止させる駆動操作データを端末パソコン７から制御装置５に送信することもできる。
【００６９】
また、逆に、スライム障害の発生の可能性が高い場合には、水系１全体の殺微生物剤添加位置Ｘ，Ｙ，Ｚにおけるスライム発生状況を把握した上で、殺微生物剤添加位置Ｘ及び殺微生物剤添加位置Ｚに殺微生物剤α，γを添加するように駆動操作データを送信することもできる。
【００７０】
さらに、作業者は、所定時間間隔で管理サーバ６に送信される残量測定データにより、薬剤タンク２ｘ，２ｙ内の残量を知得することができるため、得られた情報に応じて適正な対応を迅速に取ることができる。
【００７１】
なお、殺微生物剤α，β，γは、水系の微生物コントロールに使用される公知の殺微生物剤が好適に用いられ、例えば、有機ハロゲン系殺微生物剤、有機窒素系化合物、有機硫黄系化合物、有機リン化合物、有機アルデヒド化合物、無機系殺微生物剤などを含む殺微生物剤が有る。具体的には、有機ハロゲン系殺微生物剤としては、２，２−ジブロモ−３ニトリロプロピオンアミド（ＤＢＮＰＡ）、５−クロロ−２−メチル−４−イソチアゾリン−３−オン（ＣＭＩ）、２−ブロモ−２−ニトロ−１，３−プロパンジオール（ＢＮＰＤ）、２，２−ジブロモ−２−ニトリエタノール（ＤＢＮＥ）、４，５−ジクロロ−１，２−ジチオール−３−オン、テトラハロゲン化イソフタロニトリル、ハロゲン化酢酸エステルがある。有機窒素系化合物としては、１，２−ベンズイソチアゾリン−３−オン（ＢＩＴ）がある。有機硫黄系化合物としては、３，３，４，４−テトラクロロテトラヒドロチオフェン−１，１−ジオキシドがある。有機リン化合物としては、テトラキス（ヒドロキシメチル）ホスホニウム塩（ＴＨＰＳ）がある。有機アルデヒド化合物としては、グルタルアルデヒド、フタルアルデヒドがある。無機系殺微生物剤としては、水中で次亜塩素酸／次亜臭素酸を発生する化合物である塩素、二酸化塩素、次亜塩素酸ナトリウム、次亜塩素酸カリウム、次亜塩素酸カルシウム、臭素、次亜臭素酸ナトリウム、次亜臭素酸カリウム、次亜臭素酸カルシウム、ジクロロイソシアヌル酸の水溶性金属塩、又はトリクロロイソシアヌル酸の水溶性金属塩類等が例示される。
【００７２】
ここで、これまでに述べた構成は、殺微生物剤α，β，γが互いに異なる構成であるが、かかる構成に代えて、異なる殺微生物剤添加位置Ｘ，Ｙ，Ｚで、同種の殺微生物剤δを添加する構成が提案される。すなわち、循環水系１全体で一種類の殺微生物剤δを添加してスライムコントロールする構成である。
【００７３】
このような殺微生物剤δとしては、循環水中で次亜塩素酸及び／又は次亜臭素酸を発生する化合物を有効成分として含有する殺微生物剤のみを用いる構成が提案される。かかる構成は、微生物を急速に減らしてスライム障害を防止することができ、添加コスト、又は管理コストの点からも利点がある。
【００７４】
一方、殺微生物効果に着目した場合は、殺微生物剤として、水中で次亜塩素酸及び／又は次亜臭素酸を発生する化合物を含む殺微生物剤と、有機ハロゲン系殺微生物剤とを組み合わせものが好ましい。これは、水中で次亜塩素酸及び／又は次亜臭素酸を発生する化合物を含む殺微生物剤で、微生物を急速に減らし、有機ハロゲン系殺微生物剤で、殺微生物効果の持続を図るものである。
【００７５】
また、さらに好ましくは、水中で次亜塩素酸及び／又は次亜臭素酸を発生する殺微生物剤と、有機ハロゲン系殺微生物剤化合物とを組み合わせて用いる構成が挙げられる。かかる構成とすることにより、例えば、規定のスライム付着量が検出された場合に、循環水中で次亜塩素酸等を発生する化合物を含有する殺微生物剤により素早い対応を取り、有機ハロゲン系殺微生物剤により殺微生物効果の持続を図る処方ができる。
【００７６】
ここで、一種類の殺微生物剤δを添加する場合は、抄紙の特性や、対象微生物等を考慮して適宜選択される。例えば、中性抄紙の場合には、ブロモクロロジメチルヒダントイン（以下、ＢＣＤＭＨという）が好適に選択される。このＢＣＤＭＨは、刺激臭も少なく扱いやすい。このような、添加方法とすることにより、殺微生物剤の管理コストを抑えることができる。
【００７７】
<第二実施形態例>
また、図３に示される別構成が提案される。
すなわち、制御装置５がインターネット１０と接続されない循環水系管理システムＡ’としても良い。さらに詳述すると、当該制御装置５は、残量測定装置８、添加装置３、及びスライム付着量測定装置４とにそれぞれ接続された構成である。
【００７８】
かかる構成にあっては、残量測定装置８が出力した残量測定データ、添加装置３が出力した添加装置駆動データ、及びスライム付着量測定装置４が生成した付着量測定データを、制御装置５の記憶装置ＲＡＭが記憶保持し、かかるデータに基づいて、予め設定しておいた制御プログラムを作動させるものである。
【００７９】
具体的には、各殺微生物剤添加位置Ｘ，Ｙ，Ｚで、殺微生物剤α，β，γを添加すべき規定のスライム付着量が検出された場合に、スライム障害が発生しない程度に微生物の発生・増大を抑えることができる適正添加量を添加装置３ｘ，３ｙ，３ｚが添加するよう、予め制御プログラムを設定しておく。
【００８０】
かかる構成とすることにより、例えば殺微生物剤添加位置Ｘで、前記規定量を上回るスライム付着量が測定されると、制御装置５が、添加装置３ｙを制御して、予め定めた適正添加量の殺微生物剤βを殺微生物剤添加位置Ｙに添加させることとなる。
【００８１】
なお、上述した本発明に用いられる添加装置３としては、プランジャーポンプ、ダイヤフラムポンプ、電磁パルスポンプ、スネークポンプ等がある。
【００８２】
また、スライム付着量測定装置４としては、上述の構成のほか、切込みを入れたステンレス上に循環水を通水してその表面に微生物を付着させ、生じた腐食電位に基づいてスライム付着量を測定する構成を採用しても良い。
【００８３】
また、本発明は、各種工場の冷却用循環水系にも適用でき、実施の形態は、本発明の主旨を逸脱しない限り様々に変更できる。なお、冷水塔の冷却水系における添加方法では、連続的に添加して常に一定濃度に保つ方法が通常用いられている。
【００８４】
ここで、これまでに述べた本発明によれば、循環水系１に添加する殺微生物剤α，β，γを一括管理し、最も経済的メリットが得られるような殺微生物剤α，β，γの選択、又は購入ができることとなる。また、管理サーバ６には、当該循環水系１特有の殺菌効果に関する貴重なデータが集約されることとなるため、かかるデータを用いて効果的に抄紙工程循環白水系１の循環水をスライムコントロールすることが可能となると共に、改良・改善にも資することとなる。
【図面の簡単な説明】
【００８５】
【図１】循環白水系管理システムＡの概略図である。
【図２】抄紙工程循環白水系１の概略図である。
【図３】別の実施形態例にかかる循環白水系管理システムＡ’の概略図である。
【符号の説明】
【００８６】
１  抄紙工程循環白水系
２（２ｘ，２ｙ，２ｚ）  薬剤タンク
３（３ｘ，３ｙ，３ｚ）  添加装置
４（４ｘ，４ｙ，４ｚ）  スライム付着量測定装置
５  制御装置
６  管理サーバ
７  端末パソコン
１０  インターネット
Ａ，Ａ’  循環白水系管理システム
Ｘ，Ｙ，Ｚ  殺微生物剤添加位置
α，β，γ  殺微生物剤
【図１】
2005205354.tif 000003
【図２】
2005205354.tif 000004
【図３】
2005205354.tif 000005